(57)【要約】【課題】  水漏れの発生しない浄水器用カートリッジを提供する。【解決手段】  水を浄化するろ材と、該ろ材を収納するケーシングとを有し、該ケーシングが、開口部を有する底面部が一体成形された筒状体と、複数のリング状弾性部材を介して該筒状体の内部に配設固定されて前記開口部を封止する蓋部材とを有し、前記複数のリング状弾性部材は、少なくとも一つが前記筒状体の径方向に圧縮され、他の少なくとも一つが前記筒状体の軸方向に圧縮されている浄水器用カートリッジとする。【選択図】図２
2009219969.tif 000002
【特許請求の範囲】
【請求項１】
水を浄化するろ材と、該ろ材を収納するケーシングとを有し、該ケーシングが、開口部を有する底面部が一体成形された筒状体と、複数のリング状弾性部材を介して該筒状体の内部に配設固定されて前記開口部を封止する蓋部材とを有し、前記複数のリング状弾性部材は、少なくとも一つが前記筒状体の径方向に圧縮され、他の少なくとも一つが前記筒状体の軸方向に圧縮されていることを特徴とする浄水器用カートリッジ。
【請求項２】
請求項１に記載の浄水器用カートリッジを着脱可能に備えたアンダーシンク型浄水器。
【発明の詳細な説明】
【技術分野】
【０００１】
本発明は、水道水等の水をさらに浄化するのに好適な浄水器用カートリッジに関する。
【背景技術】
【０００２】
従来、水道水等の水を浄化する浄水器用カートリッジとしては、水を浄化するろ材と、ろ材を収納するケーシングとを備え、かかるケーシングの端部に透明部材を設けたものが知られている（特許文献１）。この浄水器用カートリッジにおいては、図１に示すように、透明部材である蓋部材２を筒状体１に固定する際、両者のすき間をシールする目的で蓋部材２の外周面に一つのリング状弾性部材９を装着させ、かかる一つのリング状弾性部材９を筒状体１の径方向に圧縮して蓋部材２を筒状体の内側に水密に固定する。
【０００３】
しかしながら、前記の方法では、蓋部材が射出成形による樹脂成形品である場合、金型を分割構造にする必要があるが、分割した金型の合わせ面において成形品にバリや段差が発生しやすい。そのため、リング状弾性部材を装着する蓋部材側面の溝部にはバリや段差が発生しやすく、本来密着するはずである蓋部材とリング状弾性部材の間に微少なすき間ができ、前記浄水器用カートリッジ使用の際に水漏れが発生するおそれがあった。
【特許文献１】国際公開第９９／４１２０３号パンフレット
【発明の開示】
【発明が解決しようとする課題】
【０００４】
本発明の目的は、蓋部材におけるリング状弾性部材の接地面にバリや段差が生じた場合でも、水漏れが発生することなく確実にシールできる浄水器用カートリッジを提供することである。
【課題を解決するための手段】
【０００５】
上記課題を解決させるための本発明は、次のいずれかの構成を特徴とするものである。
（１）水を浄化するろ材と、該ろ材を収納するケーシングとを有し、該ケーシングが、開口部を有する底面部が一体成形された筒状体と、複数のリング状弾性部材を介して該筒状体の内部に配設固定されて前記開口部を封止する蓋部材とを有し、前記複数のリング状弾性部材は、少なくとも一つが前記筒状体の径方向に圧縮され、他の少なくとも一つが前記筒状体の軸方向に圧縮されていることを特徴とする浄水器用カートリッジ。
（２）前記（１）に記載の浄水器用カートリッジを着脱可能に備えたアンダーシンク型浄水器。
【発明の効果】
【０００６】
本発明の浄水器用カートリッジにおいては、開口部を有する筒状体の内部に蓋部材を配設固定するにあたり、複数のリング状弾性部材を用いるとともに、少なくとも一つのリング状弾性部材を筒状体の径方向に圧縮させ、他の少なくとも一つのリング状弾性部材を筒状体の軸方向に圧縮させている。すなわち、筒状体側面と蓋部材側面との間に少なくとも一つのリング状弾性部材を配置して該リング状弾性部材を径方向に圧縮させるとともに、筒状体底面部と蓋部材の面板部との間に別の少なくとも一つのリング状弾性部材を配置して該リング状弾性部材を筒状体の軸方向に圧縮させる。これにより、前者のリング状弾性部材で筒状体に蓋部材を固定しつつ両者のすき間を基本的にシールし、さらに、万が一、蓋部材側面にバリや段差があり前者のリング状弾性部材によるシール性に不具合があっても、後者のリング状弾性部材で浄水器用カートリッジからの水漏れを防ぐことができる。このとき、後者のリング状弾性部材に対しては、使用時に、蓋部材を通して該リング状弾性部材が圧縮されるように内圧がかかる。そのため、蓋部材と筒状体との隙間をより確実にシールすることができ、浄水器用カートリッジからの水漏れをより確実に防ぐことができる。また、前者のリング状弾性部材は、組み立て作業を行う際、筒状体から蓋部材が外れ落ちることを防ぐので、組み立て作業も容易になる。
【発明を実施するための最良の形態】
【０００７】
本発明の浄水器用カートリッジの一実施形態を図２に示す。浄水器用カートリッジは、粒状活性炭や繊維状活性炭を主成分とする、円筒形に成形された第１フィルタ３と、その第１フィルタ３の処理水を受けて濁り等をろ過する、Ｕ字形に折り曲げられた中空糸膜束から成る第２フィルタ４とで構成されている。これら水を浄化するためのろ材は、開口部２０を有する底面部２１が一体成形された筒状体１と蓋部材２とで構成されたケーシングの中に配設されている。
【０００８】
蓋部材２は、複数のリング状弾性部材９、１０を介して該筒状体の内部に配設固定され開口部２０を封止している。リング状弾性部材９は、筒状体１の側面と蓋部材２の側面との間に配置され、筒状体１の径方向に圧縮されることで、蓋部材を筒状体に対して固定するとともに両者のすき間を基本的にシールする。一方、リング状弾性部材１０は、筒状体１の底面部２１と蓋部材の面板部との間に配置され、筒状体１の軸方向に圧縮される。これにより、万が一、蓋部材側面にバリや段差がありリング状弾性部材９によるシール性に不具合があっても、リング状弾性部材１０で浄水器用カートリッジからの水漏れを防ぐことができる。さらに、リング状弾性部材１０に対しては、使用時に、浄水器用カートリッジの内部を流れる水の圧力によって、蓋部材２を通して該リング状弾性部材１０が圧縮されるように内圧がかかる。そのため、蓋部材２と筒状体１との隙間をより確実にシールすることができ、浄水器用カートリッジからの水漏れをより確実に防ぐことができる。
【０００９】
リング状弾性部材１０は、Ｏリングなどのゴム部材で構成すればよいが、カートリッジ使用前のカートリッジに圧力のかかっていない状態においても筒状体１の軸方向に圧縮されなければならないため、ある程度小さな力でも圧縮されるよう、例えばデュロメーター硬さＡ２０〜Ａ５０のゴム部材であることが好ましい。
【００１０】
なお、本発明において、リング状弾性部材は複数であればいくつでもよい。
【００１１】
また、蓋部材２は、中空糸膜束から成る第２フィルタ４の汚れ具合を観察できるように、透視可能な透明部材であることが好ましい。さらに、蓋部材２には、リング状弾性部材９、１０が遊嵌するような溝を設けておくことが好ましい。
【００１２】
そして、浄水器用カートリッジの蓋部材２と反対側の端部には、原水入口５と浄水出口６があり、原水入口５には逆止弁７が、そして浄水出口６には水圧により流路が開放される逆止弁８が内蔵されている。
【００１３】
上記のような構成の浄水器用カートリッジにおいて、原水入口５へ導入された水道水は、粒状活性炭や繊維状活性炭を主成分とする、円筒形に成形された第１フィルタ３を、外側から内側へと流れることでろ過される。このとき、活性炭の作用で、水道水中に含まれる塩素が分解除去される。
【００１４】
その後、第１フィルタ３で得られたろ過水は、第１フィルタ３の内側と中空糸膜束から成る第２フィルタ４のケース外側との空間を流れ、第２フィルタ４へ流入する。第２フィルタ４では、流入したろ過水が中空糸膜の外側から内側へ流れることで、ろ過水中に含まれる濁り等を除去できる。
【００１５】
以上のような本発明のカートリッジは、カートリッジにかかる水圧によってリング状弾性部材１０がより強く圧縮されシール性がより強固なものとなるので、キッチンのシンクの下に設置され、水漏れが嫌がられるアンダーシンク型浄水器の水漏れ防止に特に適している。
【図面の簡単な説明】
【００１６】
【図１】従来技術を示す浄水器用カートリッジの断面図。
【図２】本発明の一実施形態を示す浄水器用カートリッジの断面図。
【符号の説明】
【００１７】
１  筒状体
２  蓋部材
３  １次フィルタ
４  ２次フィルタ
５  原水入口
６  浄水出口
７  逆止弁
８  逆止弁
９  リング状弾性部材
１０  リング状弾性部材
２０  開口部
２１  底面部
【図１】
2009219969.tif 000003
【図２】
2009219969.tif 000004